(57)【特許請求の範囲】
【請求項１】
少なくとも１つの医療用機器を含む複数の機器と接続され、前記複数の機器を集中制御する集中制御手段と、
前記集中制御手段と電気的に接続され、前記複数の機器を操作するための複数の操作画面を有する集中操作手段と、
少なくとも前記医療用機器の操作部の表示形態と略同等の表示形態で操作画面として表示するために、この表示形態を操作画面データとして予め保持する記憶手段と、
を有し、
前記複数の機器に対応して割り当てられたそれぞれの機器の操作領域においてそれぞれの機器の特定の機能の操作のみ可能であると共に前記複数の機器の中から所望の機器を特定して選択可能な機器選択画面において選択された機器の操作部に対応する操作画面データを、前記記憶手段より読み出し、この選択された機器の操作画面として表示するように前記集中操作手段を制御することを特徴とする医療用制御システム。
【請求項２】
前記医療用機器が前記集中制御手段に接続されているか否かを検知する接続検知手段を更に有し、
前記集中制御手段は、前記接続検知手段の検知結果に基づき、前記医療用機器の接続の有無を、前記機器選択画面において表示するように前記集中操作手段を制御することを特徴とする請求項１に記載の医療用制御システム。
【請求項３】
前記集中制御手段は、前記接続検知手段の検知結果に基づき、前記医療用機器の接続有の場合と接続無の場合とで、前記機器選択画面においてそれぞれの機器に対応する前記個別操作領域全体を区別化して表示するように前記集中操作手段を制御することを特徴とする請求項２に記載の医療用制御システム。
【発明の詳細な説明】
【０００１】
【産業上の利用分野】
本発明は医療用機器を含む複数の機器を集中操作する集中操作手段を備えた医療用制御システムに関する。
【０００２】
【従来の技術】
（１）請求項１、付記１〜４に対する従来技術
従来技術としては特願平５−１４４８５７である。複数の医療用機器を複数の操作画面の階層構造からなる集中操作部で操作できる。ここで操作画面は医療用機器の操作パネルとは異なる独自の構成をとっていた。
【０００３】
（２）付記５〜７に対する従来技術
従来技術としては特願平５−２７４４０３であり、複数の医療用機器で構成された手術装置を１つの集中操作部で操作する医療用制御システムである。このとき集中操作部における各医療用機器の情報表示は、各医療用機器の操作パネル表示をそのまま表示していた。
【０００４】
（３）付記８，９に対する従来技術
従来技術としては請求項１付記１〜４と同様。
【０００５】
【発明が解決しようとする課題】
特願平５−１４４８５７では、集中操作部の操作画面が医療用機器の操作パネルと異なるので、前記操作パネルに慣れた操作者には前記集中操作部の操作画面の操作に違和感があるという欠点があった。
【０００６】
特願平５−２７４４０３では、複数の映像信号を合成してモニタに表示するような医療機器の場合において操作パネルをそのままシステムの集中操作部に情報表示すると分かりにくいという欠点があった。
【０００７】
特開平５−１４４８５７では、システムの初期設定時に設定を行う場合、所望の操作画面を各設定ごとに複数の操作画面より探し出すという煩わしさがあった。
【０００８】
（発明の目的）
請求項１及び付記１〜４の目的は、各機器の操作パネルで操作していた人がシステムの操作画面で前記機器の操作をスムーズに行うことができる医療用制御システムを提供することである。
【０００９】
付記５〜７の目的は、複数の映像信号を合成してモニタ表示するような医療機器の情報表示をシステムの集中操作部に表示する場合に前記情報表示を操作者に分かりやすい表示にする医療用制御システムを提供することである。
【００１０】
付記８，９の目的はシステムの初期設定時において操作者の煩わしさを解消する医療用制御システムを提供することである。
【００１１】
【課題を解決するための手段および作用】
請求項１及び付記１〜４の構成は、医療用制御システム内の複数の医療用機器を集中制御する集中操作部の複数の操作画面のうち、少なくとも１つの医療用機器の操作パネルと同一操作画面を設けることにより、操作者は集中操作部の操作を医療用機器の操作とほぼ同一操作で行える。
【００１２】
付記５〜７の構成は前記集中操作部の少なくとも１つの操作画面に、複数の映像信号を合成してモニタ表示する画像処理装置の映像出力状態を、前記モニタ画面と略等しい形態で表示した。この構成により、前記操作画面で前記画像処理装置の映像出力状態をすぐに把握できる。
【００１３】
付記８、９の構成は、医療用制御システム初期設定時に操作する高周波焼灼装置やＴＶカメラの操作画面が初期設定時に集中操作部に順次表示されるようにした。この構成により操作者が初期設定時に希望する操作画面が自動的に表示されることになる。
【００１４】
【実施例】
以下、図面を参照して本発明の実施例を具体的に説明する。図１ないし図５は本発明の第１実施例に係り、図１は第１実施例の医療用制御システムの概略の構成を斜視図で示し、図２は第１実施例の医療用制御システムの概略の構成をブロック図で示し、図３は集中制御パネルのメイン画面を示し、図４は集中制御パネルの階層画面の１つの気腹器を操作する気腹画面を示し、図５は気腹器の操作パネルを示す。
【００１５】
この第１実施例はシステム内の機器を機器自体の操作パネルで操作していた人が、システム操作画面での前記機器の操作をスムーズに行うことができる医療用制御システムを構成する。
【００１６】
図１に示すように医療用制御システム１０では使用する周辺医療用機器の種類が多く、１台のカートに各種医療用機器を収めることができないため、複数の医療用機器を数台のカート例えば、第１カート２０と第２カート３０とに分散させて搭載して、手術室のスペースを有効的に利用している。
【００１７】
第１のカート２０には第１モニタ２１，集中表示パネル２２，第１ＴＶカメラ２３ａ，第１光源２４ａ，第２ＴＶカメラ２３ｂ，第２光源２４ｂ，システムコントローラ２５，ビデオミキサ２６，ＶＴＲ２７，分配器２８，通信用コネクタ２９ａを備えた第１中継ユニット２９などが搭載されている。
【００１８】
第２カート３０には第２モニタ３１，高周波焼灼装置３２，気腹器３３，ＣＯ2 ボンベ３４，吸引ボトル３５，分配器３６，通信用コネクタ３７ａを備えた第２中継ユニット３７，集中制御パネル３９などが搭載されている。
【００１９】
そして、第１カート２０のシステムコントローラ２５には第１中継ユニット２９を介して第１カート２０に搭載された各医療用機器が電気的に接続されている。さらに、前記システムコントローラ２５は、通信用ケーブル１１によって第２カート３０の第２中継ユニット３７に接続されている。
【００２０】
このため、第１のカート２０と第２のカート３０とが通信用ケーブル１１で接続されたことにより、図２に示すように第１カート２０に搭載された各医療用機器及び第２カート３０に搭載された各医療用機器がシステムコントローラ２５に接続され、集中制御パネル３９を操作することでこれら医療用機器を遠隔操作することが可能になる。
【００２１】
また、この実施例では、操作画面記憶メモリ４０が設けてあり、集中制御パネル３９を操作して気腹器３３等の医療用機器の操作画面の表示を選択した場合には、システムコントローラ２５は対応する操作画面データを読み出し、集中制御パネル３９の表示部３９Ａに表示するようにしている。
【００２２】
この集中制御パネル３９は表示部３９Ａの表面に透明電極等を用いて形成したタッチパネル等の操作部３９Ｂが設けてあり、この操作部３９Ｂを操作することにより、システムコントローラ２５を介してシステムコントローラ２５と電気的に接続された医療用機器全ての操作を行うことができるようにしている。
【００２３】
上記操作画面記憶メモリ４０には、システムコントローラ２５に接続されて使用される複数の医療用機器それぞれの操作部の表示形態と殆ど同じ表示形態となるような複数の操作画面データを記憶しており、集中制御パネル３９の操作部３９Ｂを操作して医療用機器を選択した場合、その医療用機器に対応する操作画面データを読み出して（集中操作を行う）集中制御パネル３９（の表示部３９Ａ）に表示する表示手段を形成していることが特徴となっている。
操作画面記憶メモリ４０は、この他にメイン画面、メニュ画面等の画面データ等も記憶している。
【００２４】
図３は集中制御パネル３９の（表示部３９Ａに表示される）メイン画面４２を示す。メイン画面４２には内視鏡等の医療用機器を（少なくとも１つ）用いたこの医療用制御システム１０で主に操作する気腹器３３（Ｉｎｎｓｕｆｆｌａｔｉｏｎ）、高周波焼灼装置３２（Ｅｌｅｃｔｒｉｃ  Ｓｕｒｇ．）、ビデオミキサ２６（Ｍｉｘｅｒ）、ＶＴＲ２７それぞれの主要スイッチが左から順に配置されている。
【００２５】
そして、画面下には各機器の操作画面を呼び出すためのタグ４３が左から順にメインタグ、メニュータグ、気腹タグのように並んでいる。
図４は集中制御パネル３９の階層画面の１つで、気腹器３３を操作する気腹画面４４である。図５は気腹器３３のフロントパネル部分を示し、この気腹器３３を操作する気腹操作パネル４５が設けられている。
【００２６】
このように気腹画面４４の表示形態を実際の気腹器３３の気腹操作パネル４５の表示形態とほぼ同じようにして表示する画面表示機構を形成していることがこの実施例の特徴となっている。そして、実際の気腹器３３を操作するのと同様な感覚で操作することができ、その操作により、システムコントローラ２５を介して気腹器３３をその操作に対応する制御を行うようにしている。
【００２７】
気腹器３３の操作パネル４５及び気腹画面４４とがほぼ同じ形態であることを図示で示したが、他の機器でも同様の表示形態に設定している。
次にこの実施例の作用を説明する。
【００２８】
まず図１を用いてこの医療用制御システム１０全体の動作を説明する。第１カート２０のシステムコントローラ２５は第１中継ユニット２９を介して第１カート２０に搭載された各機器と電気的に接続されると共に、通信用ケーブル１１によって第２カート３０の第２中継ユニット３７につながっており、さらにこの第２中継ユニット３７を介すことで第２カート３０に搭載された全ての機器、第２モニタ３１、高周波焼灼装置３２、気腹器３３、集中制御パネル３９と電気的に接続されている。つまり、図２に示すように、医療用機器はシステムコントローラ２５と電気的に接続された状態になっている。
【００２９】
従ってシステムコントローラ２５を介すことにより、集中制御パネル３９からシステム１０内の機器を集中制御できると共に、集中表示パネル２２にはシステム１０内の機器の表示から術者（操作者）に必要な情報のみを選択して集中表示している。
【００３０】
次に図３，４，５を用いて集中制御パネル３９から気腹器３３の操作をする動作を説明する。集中制御パネル３９の基本画面は図３に示すようなメイン画面４２であり、画面上段の斜線部分が各機器情報の表示部で、画面下段の白地部分が各機器への操作スイッチであり、画面上のスイッチに触れることで作動する。
【００３１】
メイン画面４２中における気腹器３３の主要な状態及び操作スイッチを表示する気腹器表示エリアには、気腹器３３のＳｔａｒｔ，Ｓｔｏｐと気腹流量のＨｉｇｈ，Ｌｏｗの設定を行うＳＷが配置されている。しかし気腹器３３の全操作を行うためには、画面下の気腹タグを押し、画面を図４の気腹画面４４に切り換えて操作する。気腹タグを押すと、そのＯＮをシステムコントローラ２５は検知し、操作画面記憶メモリ４０からこの選択操作に対応する気腹画面データを読み出し、集中操作パネル３９（の表示部３９Ａ）に表示する。
【００３２】
気腹画面４４は図５の気腹器３３の操作パネル４５と比べて分かるように略等しい表示形態であるので、気腹画面４４においては気腹器３３と同様な操作が行える。
ここで集中制御パネル３９のメイン画面４２に関して気腹器表示エリア以外のエリアを説明をする。
【００３３】
メイン画面４２における高周波焼灼装置３２の状態等を表示する高周波焼灼装置表示エリアのスイッチによりＣＵＴ，ＣＯＡＧの出力値が設定でき、ＶＴＲ２７の状態等を表示するＶＴＲ表示エリアのスイッチではＲＥＣ，ＳＴＯＰの制御ができる。ビデオミキサ２６の状態等を表示するビデオミキサ表示エリアのスイッチについては後述の実施例で詳しく説明する。
【００３４】
この実施例は以下の効果を有する。
このような構成によれば、例えば気腹器３３の操作パネル４５で操作していた人も集中制御パネル３９の（気腹器３３の操作パネル４５とほぼ同じ）気腹画面４４により、スムーズに操作ができる。そして集中制御パネル３９の気腹画面４４はメイン画面４２の下の階層画面の１つなのでシステム機器が追加されても、追加された機器と略等しい操作画面を増やすことが可能であるので、操作者は追加機器に対してもスムーズな操作ができる。
【００３５】
なお、集中制御パネル３９に表示される操作画面はシステムコントローラ２５に接続して使用される機器全ての操作パネルと同様な表示形態で表示するものに限定されるものでなく、少なくとも１つの機器の操作パネル等の操作部と同様な表示形態で表示すれば、この実施例の範疇に含まれる。もっとも、主要な機器の操作部と同様な操作画面を表示できるものが望ましい。
【００３６】
次に本発明の第２実施例を説明する。この第２実施例は第１実施例とほぼ同じであるが、特にシステム内の機器のシステムコントローラ２５への接続確認が集中制御パネル３９の画面上で判別できるように構成したことが特徴となっている。
【００３７】
以下、第２実施例の構成を説明する。この第２実施例の構成は第１実施例とほぼ同じであるが、図２の医療用制御システム１０において、システムコントローラ２５には図示しない接続検知手段が接続されており、この接続検知手段はシステムコントローラ２５に接続された医療用機器の接続の有無を検知してシステムコントローラ２５に検知した接続の有無の情報を出力するようにしている。    このシステムコントローラ２５は接続されていない医療用機器に対してはその表示画面を例えば網目状に表示して、その医療用機器が接続されていないことを操作者に分かるようにすると共に、その医療用機器の操作画面を呼び出すためのタグを表示しないようにして、その医療用機器のスイッチ等の操作を行えないようにしている。この第２実施例において、例えば気腹器３３がシステムに組み込まれてない場合の動作を説明する。
【００３８】
図６は前述のようにシステム内の気腹器３３がなく、システムコントローラ２５に気腹器３３が接続されていないときの集中制御パネル３９のメイン画面４２ａである。メイン画面４２ａは図３のメイン画面４２と比較すると、気腹器３３の表示エリアに網目が施してあるのと画面下の気腹タグがない点が異なる。
【００３９】
この実施例の作用も第１実施例とほぼ同じであるがシステム内に気腹器３３がないので、集中制御パネル３９に関して図６のメイン画面４２ａのように気腹器３３の表示エリアに網目がしてあり、この表示エリア内のスイッチが全て作動しないようにしてある。
【００４０】
また画面下に気腹タグがないので気腹画面４４の階層画面が呼出せないようになっている。気腹タグはメイン画面４２ａ以外の操作画面においても現れることはない。
【００４１】
この実施例は以下の効果を有する。
この構成によれば操作者は集中制御パネル３９のメイン画面の網目や操作画面下のタグを見るだけでシステムに接続されている機器が分かる。またメイン画面４２ａの気腹器３３の表示エリアのようにシステム接続されてない機器のスイッチは作動しないので、この機器を制御できると勘違いすることを確実に防止できる。なお、接続されていない機器の操作画面を網目状に表示するものに限らず、区別がつくものであれが網かけその他の表示でも良い。
【００４２】
次に本発明の第３実施例を説明する。この実施例の目的は選択された２つ以上の映像信号を合成して表示手段へ出力表示するビデオミキサ２６のモニタ画面に出力された合成表示状態及び映像信号を、集中制御パネル３９の操作画面に操作者の分かりやすい表示で表した医療用制御システムを提供することである。
【００４３】
図７に本発明の第３実施例の概要を示し、第１実施例で説明した番号については省略する。図７のようにオペ台５１を挟んで術者Ａは内視鏡５０ａを持ち、術者Ｂは内視鏡５０ｂを持ち向かい合って手技を行っている。
【００４４】
ここで内視鏡５０ａのＪ像及び内視鏡５０ｂのＦ像の画像はそれぞれのＴＶカメラ２３ａ，２３ｂに送られ、そこからビデオミキサ２６を介して第１モニタ２１と第２モニタ３１に送られる。
【００４５】
図８は第１モニタ２１の拡大図を示し、このモニタ表示のときのビデオミキサ２６の設定を、図９のビデオミキサ２６のミキサ操作パネル５３と図１０の集中制御パネル３９の階層画面の１つであるミキサ画面５４に示す。
【００４６】
ここでミキサ画面５４のビデオミキサ２６のエリアはミキサ操作パネル５３と異なり、ビデオミキサ２６の設定状態をモニタ画面でイラスト表示した設定モニタ５５がある。
【００４７】
システムコントローラ２５はビデオミキサ２６の設定状態を検出して設定モニタ５５上でそのイラスト的に表示する手段を備えた構成にしている。つまり、ビデオミキサ２６を経て表示されるモニタの表示画面上におけるメインの表示画面及びサブの表示画面に対応して設定モニタ５５上に実際のメイン及びサブの表示サイズと相似形のイラスト画面で表示するようにしている。また、ビデオミキサ２６のメインとサブの選択映像信号をメインのスクリーン番号とサブのスクリーン番号として設定モニタ５５上の対応箇所に表示している。
【００４８】
次に作用を説明する。
図７のようにオペの時に２つの映像を表示する場合は、２つのモニタ２１、３１にそれぞれの映像を表示するよりＰｉｃｔｕｒｅ  ｉｎ  Ｐｉｃｔｕｒｅ等の（親画面中に子画面を表示する）表示方法で合成して１つのモニタに表示した方が術者としても観察しやすいので図８の第１モニタ２１のように合成画像とする。次に図９を用いてビデオミキサ２６の操作方法を説明する。
【００４９】
まず図９のミキサ操作パネル５３のＭＡＩＮ  ＳＷにて親画面のＦ像を、ＳＵＢ  ＳＷにて子画面のＪ像をＶＩＤＥＯ１〜３の中から選択する。図９のように選択されたメインのＶＩＤＥＯ１，サブのＶＩＤＥＯ２のＬＥＤ発光は黒塗りで示してある。
【００５０】
また、ミキサ操作パネル５３の他のＳＷ機能についても説明すると、ＩＮＳ／ＤＥＬ  ＳＷは前記子画面の表示・不表示スイッチであり、ＥＸＣＨＧ．ＳＷは親画面と子画面の切り替えスイッチであり、ＰＯＳＩ．ＳＷは子画面位置の４隅移動であり、ＳＩＺＥ．ＳＷは子画面サイズ変更スイッチである。
【００５１】
前記のようなミキサ操作パネル５３の操作は集中制御パネル３９のミキサ画面５４でも同様な制御ができる。ここで図３，１０を用いてミキサ画面５４のビデオミキサ２６エリア上段の表示部及び下段操作スイッチを説明する。まず図３の集中制御パネル３９のメイン画面４２のミキサタグを押すと、階層画面の１つであるミキサ画面５４が図１０のように現れる。
【００５２】
ここでミキサ画面５４のビデオミキサ２６の表示エリアにおける操作スイッチの説明はビデオミキサ２６の操作パネル５３と同じなので省略し、ビデオミキサ２６の表示エリアの表示部について説明する。
【００５３】
まず、設定モニタ５５はビデオミキサ２６の選択映像信号と２つの映像信号の合成状態を映像出力したモニタと略同一構成のイラストで表している。つまり図１０の設定モニタ５５のイラストで数字の１はＶＩＤＥＯ１の映像信号を出力し、２はＶＩＤＥＯ２の映像信号を出力していることを示しており、また設定モニタ５５のイラストの合成画像は実際の第１モニタ２１、第２モニタ３１の画像の合成状態を示している。つまり、図１０の設定モニタ５５はＶＩＤＥＯ１がほぼ画面一杯に表示される親画面となり、この親画面にＶＩＤＥＯ２が左上の隅に小さく表示される。
【００５４】
ここで、ＶＩＤＥＯ１を数字で表しているが、これは映像信号を示す記号であれば何でも構わない。また設定モニタ５５のイラスト表示はモニタ画面の子画面の大きさや位置が変わるのと同様に変わる。
【００５５】
ミキサ画面５４の他の表示について説明すると、設定モニタ５５の下のＳｕｂＳｃｒｅｅｎ表示はビデオミキサ２６の操作パネル５３のＳＵＢ  ＳＷのＬＥＤ表示と同じ意味である。
【００５６】
この構成によれば、操作者はミキサ画面５４の設定モニタ５５を見るだけでビデオミキサ２６からモニタ画面へ出力された合成表示状態と映像信号がすぐに分かるという効果がある。
【００５７】
次に本発明の第４実施例を説明する。この実施例は第３実施例とほぼ同じであるが、特に選択した映像信号を回転処理した回転画像においても、ミキサ画面５４の設定モニタ５５で表示対応できることを特徴とした医療用制御システムを提供することを目的としたものである。
【００５８】
第４実施例の構成としては第３実施例とほぼ同じだが、図１１に示すようにビデオミキサ２６の操作パネル５３に画像を回転させる回転スイッチ５６が加わっている。
【００５９】
また、システムコントローラ２５は回転スイッチ５６の回転設定状態を検出する手段を備え、その回転設定状態に対応して上記メインのスクリーン番号とサブのスクリーン番号とを回転して設定モニタ５５で表示するようにしている。
【００６０】
上記回転スイッチ５６により作られた画像を図１２（ａ），図１３（ａ）に示し、また図１２（ａ），図１３（ａ）それぞれに対応する設定モニタ５５を図１２（ｂ），図１３（ｂ）に示す。
【００６１】
次に作用を説明する。
図１２（ａ）の第１モニタ２１の画面のように子画面のＪ像のみ上下左右反転した倒立像にする作用を説明する。まず図１１のビデオミキサ２６の操作パネル５３でＶＩＤＥＯ  ＯＵＴ１は第１出力である第１モニタ２１を示し、ＶＩＤＥＯ  ＯＵＴ２は第２モニタ３１を示しており、またＭＡＩＮは親画面、ＳＵＢは子画面のことを指している。
【００６２】
よってＶＩＤＥＯ  ＯＵＴ１のＳＵＢ  ＳＷの回転スイッチ５６を押すことで、第１モニタ２１の子画面のＪ像が回転するので倒立像になるまで回転させる。図示しないがこの回転スイッチ５６は集中制御パネル３９のミキサ画面５４にも備えてあるので同様な操作ができる。
【００６３】
ここで図１２（ａ）の子画面映像が倒立像になると、ミキサ画面５４の設定モニタ５５のサブのスクリーン番号も、図１２（ｂ）に示すように同様な倒立像になる。
【００６４】
また図１３（ａ）のようにモニタ画面の親・子画面映像とも傾いた場合も、図１３（ｂ）に示すように設定モニタ５５のメイン・サブのスクリーン番号はモニタ画面と略等しく傾く。
【００６５】
この実施例の構成によれば、操作者はモニタ画面の映像を回転させても、ミキサ画面５４の設定モニタ５５を見るだけでモニタ画面の各映像信号がどの程度回転しているかが分かる。
【００６６】
次に本発明の第５実施例を説明する。
この実施例はシステムの初期設定時において操作者に煩わしさを与えない医療用制御システムを提供することを目的としている。
【００６７】
構成としては第１実施例と同じであるが、システム立ち上げ時の集中制御パネル３９のトップ画面は高周波焼灼装置３２の初期設定を行う図１４の電気メス初期画面６０が現れるようにしている。そして電気メス初期画面６０の設定終了後に現れるのが、図１５のＯＴＶエリア６１を含むメイン画面４２ｂである。
【００６８】
つまり、システムコントローラ２５は高周波焼灼装置３２の初期設定が行われているか否かを判断する判断手段を有し、初期設定が行われていない場合にはシステムの立ち上げ時に図１４に示すような設定用の画面を表示する。また、これに対応して、その初期設定の終了後には図１５のＯＴＶエリア６１を含むメイン画面４２ｂを表示するように制御する。
【００６９】
次に図３，１４，１５を用いて作用を説明する。集中制御パネル３９のトップ画面は通常、図３のメイン画面４２である。
しかしシステム立ち上げ時には、システム操作手順より考えて最初に設定を行う高周波焼灼装置３２の電気メス初期画面６０がトップ画面、つまり図１４の画面になるように自動設定されている。
【００７０】
但し、既に電気メス初期画面６０の設定が終了済みの場合は異なる。電気メス初期画面６０では図１４のようにＭｏｄｅの選択及びＯｕｔｐｕｔのＣｕｔ，Ｃｏａｇ．の出力値や出力種類の設定を行い、設定が終了しＳｅｔ  ＳＷを押すことでトップ画面が図１５のメイン画面４２ｂに切り替わる。
【００７１】
ここでも、通常はメイン画面４２に切り替わるのだが、システム立ち上げ時の操作手順から考え次はホワイトバランスをとるためにＷ．Ｂａｌ．ＳＷを含むＯＴＶエリア６１のあるメイン画面４２ｂが現れる。そしてＯＴＶエリア６１のＳｅｌｅｃｔ  ＳＷでＯＴＶ１かＯＴＶ２を選択し、Ｗ．Ｂａｌ．ＳＷでホワイトバランスをとる。
【００７２】
接続されているＯＴＶのホワイトバランスをＷ．Ｂａｌ．ＳＷで取り終えると、メイン画面４２ｂのＯＴＶエリア６１が消え通常のメイン画面４２が表示される。このようにシステム立ち上げ時はシステム操作手順通りの操作画面が順次表示される。
【００７３】
このような構成によれば、医療用制御システムの初期設定時に集中制御パネル３９の操作画面として次に操作する操作画面が自動的に表示されるので、操作しやすい画面構成になっている。
【００７４】
上記説明では高周波焼灼装置３２の初期設定を行うための画面を出すようにしているが、これに限定されるものでなく、少なくとも１つの医療用機器を含む複数の機器と、前記複数の機器を集中制御する集中制御手段と、前記集中制御手段と電気的に接続され、前記複数の機器を操作スイッチの配置された複数の操作画面により操作する集中操作手段とからなる医療用制御システムにおいて、システム内の操作機能のうち特定の機能に関して操作順位が予め設定されており、前記特定の機能の操作に続いて次に操作すべき機能の操作項目が自動的に表示される自動切り替えモードを設けたものでも良い。
【００７５】
なお、上述した実施例を部分的等で組み合わせたものも本発明に属する。
【００７６】
［付記］
（１）前記少なくとも１つの操作画面の操作スイッチの配置が前記機器の操作部の操作スイッチと略等しい配置で構成されている請求項１記載の医療用制御システム。
【００７７】
（２）前記少なくとも１つの操作画面の操作スイッチの操作内容が前記機器の操作部の操作内容と略等しく構成されている請求項１記載の医療用制御システム。
（３）前記操作画面上に前記複数の機器のシステム接続確認手段を設けた請求項１記載の医療用制御システム。
【００７８】
（４）前記システム接続確認手段は、複数の操作画面の中から接続された機器の操作画面を呼び出す呼出タグをシステム接続された機器のみに設けた付記３記載の医療用制御システム。
（５）複数の映像信号を合成して表示装置へ出力する画像処理装置を含む複数の機器と、前記複数の機器を集中制御する集中制御手段と、前記集中制御手段と電気的に接続され、前記複数の機器を操作スイッチの配置された複数の操作画面により操作する集中操作手段とからなる医療用制御システムにおいて、
前記画像処理装置の映像出力の状態を、前記少なくとも１つの操作画面に、前記表示装置の表示画面の構成と略等しい形態で表す構成にした医療用制御システム。
【００７９】
この構成によれば、操作者は操作画面を見るだけで表示装置の画面へ出力された合成表示状態と映像信号がすぐに分かる。
【００８０】
（６）前記画像処理装置が表示装置に出力した映像信号を記号で表し、前記記号を前記操作画面上の前記映像信号の表示に対応する箇所に配置する構成にしたことを特徴とする付記５記載の医療用制御システム。
（７）前記画像処理装置が前記映像信号に回転処理を施し前記表示装置へ回転画像を表示したとき、前記操作画面上の前記映像信号を表す記号が、前記回転画像を略等しい回転をする構成にした付記５記載の医療用制御システム。
【００８１】
（８）少なくとも１つの医療用機器を含む複数の機器と、前記複数の機器を集中制御する集中制御手段と、前記集中制御手段と電気的に接続され、前記複数の機器を操作スイッチの配置された複数の操作画面により操作する集中操作手段とからなる医療用制御システムにおいて、
システム内の操作機能のうち特定の機能に関して操作順位が予め設定されており、前記特定の機能の操作に続いて次に操作すべき機能の操作項目が自動的に表示される自動切り替えモードを設けた医療用制御システム。
この構成によれば、医療用制御システムの初期設定時に集中操作手段の操作画面として次に操作する操作画面が自動的に表示されるので、操作しやすい。
【００８２】
（９）前記自動切り替えモードが特にシステムの初期設定時に機能する手段を設けた付記８記載の医療用制御システム。
【００８３】
【発明の効果】
上述したように本発明によれば、集中操作手段の操作画面から少なくとも１つの医療用機器の操作部を操作するのとほぼ同様の操作で、その機器の操作を行うことができる。
【図面の簡単な説明】
【図１】本発明の第１実施例の医療用制御システムの概略構成を示す斜視図。
【図２】医療用制御システムの概略構成を示すブロック図。
【図３】集中制御パネルのメイン画面を示す説明図。
【図４】集中制御パネルの階層画面の１つの気腹器を操作する気腹画面を示す説明図。
【図５】気腹器の操作パネルを示す正面図。
【図６】本発明の第２実施例における集中制御パネルのメイン画面を示す説明図。
【図７】本発明の第３実施例の医療用制御システムの概略構成を示す斜視図。
【図８】第１モニタの拡大図。
【図９】ビデオミキサのミキサ操作パネルの正面図。
【図１０】集中制御パネルのミキサ画面を示す図。
【図１１】ビデオミキサのミキサ操作パネルの正面図。
【図１２】第１モニタ及び設定モニタの表示の説明図。
【図１３】第１モニタ及び設定モニタの表示の説明図。
【図１４】電気メス初期画面の図。
【図１５】集中制御パネルのメイン画面を示す説明図。
【符号の説明】
１０…医療用制御システム
２１、３１…モニタ
２２…集中表示パネル
２３ａ，２３ｂ…ＴＶカメラ
２５…システムコントローラ
２６…ビデオミキサ
２７…ＶＴＲ
３２…高周波焼灼装置
３３…気腹器
３９…集中制御パネル
４０…操作画面記憶メモリ
４２…メイン画面
４３…タグ
４４…気腹画面
４５…操作パネル
【図１】
0004040698.tif 000002
【図２】
0004040698.tif 000003
【図３】
0004040698.tif 000004
【図４】
0004040698.tif 000005
【図５】
0004040698.tif 000006
【図６】
0004040698.tif 000007
【図７】
0004040698.tif 000008
【図８】
0004040698.tif 000009
【図９】
0004040698.tif 000010
【図１０】
0004040698.tif 000011
【図１１】
0004040698.tif 000012
【図１２】
0004040698.tif 000013
【図１３】
0004040698.tif 000014
【図１４】
0004040698.tif 000015
【図１５】
0004040698.tif 000016